(57)【要約】【課題】  映像の再生において通信網における通信速度の制限を回避することを目的とする。【解決手段】  単位期間中の通信量が所定量を超えた場合に通信速度が制限される通信網を介して映像を受信する映像再生装置において、通信網を監視する監視装置から単位期間中に映像再生装置が通信した通信量を取得し、映像を配信する配信装置から視聴対象の映像の再生時間を取得する取得部と、通信網を介して受信した映像を再生した再生履歴を示す履歴情報を格納する記憶部と、履歴情報、単位期間中の通信量および視聴対象の映像の再生時間に基づいて、視聴対象の映像の仕様を決定する決定部と、仕様を示す情報を配信装置に送信し、仕様に対応した視聴対象の映像を配信装置から受信する通信部と、配信装置から受信した映像を出力する出力部と、を有する。【選択図】    図１
2016046584.tif 000002
【特許請求の範囲】
【請求項１】
単位期間中の通信量が所定量を超えた場合に通信速度が制限される通信網を介して映像を受信する映像再生装置において、
前記通信網を監視する監視装置から前記単位期間中に前記映像再生装置が通信した通信量を取得し、映像を配信する配信装置から視聴対象の映像の再生時間を取得する取得部と、
前記通信網を介して受信した映像を再生した再生履歴を示す履歴情報を格納する記憶部と、
前記履歴情報、前記単位期間中の通信量および前記視聴対象の映像の再生時間に基づいて、前記視聴対象の映像の仕様を決定する決定部と、
前記仕様を示す情報を前記配信装置に送信し、前記仕様に対応した前記視聴対象の映像を前記配信装置から受信する通信部と、
前記配信装置から受信した映像を出力する出力部と、
を備えることを特徴とする映像再生装置。
【請求項２】
請求項１に記載の映像再生装置において、
前記通信網を介して前記配信装置と通信したときの通信速度を計測する計測部を備え、
前記仕様は、映像のビットレートを含み、
前記決定部は、前記履歴情報、前記単位期間中の通信量および前記視聴対象の映像の再生時間に基づいて前記ビットレートを算出し、算出した前記ビットレートが前記計測部で計測された前記通信速度以上の場合、前記仕様に含まれる前記ビットレートを、計測された前記通信速度以下に決定する
ことを特徴とする映像再生装置。
【請求項３】
請求項１に記載の映像再生装置において、
前記仕様は、映像の１フレームの画素数、フレームレートおよびビットレートを含み、
前記決定部は、前記履歴情報、前記単位期間中の通信量および前記視聴対象の映像の再生時間に基づいて前記ビットレートを算出し、算出した前記ビットレートが外部装置の映像表示の処理能力を示すビットレートより小さい場合、前記仕様に含まれる前記ビットレートを、算出した前記ビットレート以下に決定し、前記仕様に含まれる前記画素数および前記フレームレートを、算出した前記ビットレートに基づいて決定する
ことを特徴とする映像再生装置。
【請求項４】
単位期間中の通信量が所定量を超えた場合に通信速度が制限される通信網を介して映像を受信する映像再生装置の制御方法において、
前記映像再生装置が有する取得部が、前記通信網を監視する監視装置から前記単位期間中に前記映像再生装置が通信した通信量を取得し、映像を配信する配信装置から視聴対象の映像の再生時間を取得し、
前記映像再生装置が有する決定部が、前記通信網を介して受信した映像を再生した再生履歴を示す履歴情報、前記単位期間中の通信量および前記視聴対象の映像の再生時間に基づいて、前記視聴対象の映像の仕様を決定し、
前記映像再生装置が有する通信部が、前記仕様を示す情報を前記配信装置に送信し、前記仕様に対応した前記視聴対象の映像を前記配信装置から受信し、
前記映像再生装置が有する出力部が、前記配信装置から受信した映像を出力する
ことを特徴とする映像再生装置の制御方法。
【発明の詳細な説明】
【技術分野】
【０００１】
本発明は、映像再生装置および映像再生装置の制御方法に関する。
【背景技術】
【０００２】
例えば、スマートホンあるいはタブレット型端末等の携帯通信端末を用い、インターネット等のネットワークを介して、配信装置から配信される映像を受信し、受信した映像を視聴する技術が提案されている（特許文献１，２参照）。
【０００３】
また、携帯通信端末は、例えば、通信事業者が管理する通信網を介してネットワークに接続し、配信装置から映像を受信する場合がある。例えば、通信網を介した携帯通信端末の通信量が所定量（１ヶ月間に７ギガバイト等）を超えた場合、通信事業者は、通信網と携帯通信端末との間の通信速度を制限する。
【先行技術文献】
【特許文献】
【０００４】
【特許文献１】特開２００７−１９４６８０号公報
【特許文献２】特開２０１２−４８９３号公報
【発明の概要】
【発明が解決しようとする課題】
【０００５】
しかしながら、通信網の通信速度が制限された場合、携帯通信端末が単位時間あたりに受信できるデータ量は、通信速度が制限される前と比べて、少なくなる。このため、携帯通信端末は、映像の仕様として設定されたフレームレートでの映像の再生が困難となり、映像の視聴が難しくなる場合がある。
【０００６】
１つの側面では、本件開示の映像再生装置および映像再生装置の制御方法は、映像の再生において通信網における通信速度の制限を回避することを目的とする。
【課題を解決するための手段】
【０００７】
一観点によれば、映像再生装置は、単位期間中の通信量が所定量を超えた場合に通信速度が制限される通信網を介して映像を受信する映像再生装置において、通信網を監視する監視装置から単位期間中に映像再生装置が通信した通信量を取得し、映像を配信する配信装置から視聴対象の映像の再生時間を取得する取得部と、通信網を介して受信した映像を再生した再生履歴を示す履歴情報を格納する記憶部と、履歴情報、単位期間中の通信量および視聴対象の映像の再生時間に基づいて、視聴対象の映像の仕様を決定する決定部と、仕様を示す情報を配信装置に送信し、仕様に対応した視聴対象の映像を配信装置から受信する通信部と、配信装置から受信した映像を出力する出力部と、を有する。
【０００８】
別の観点によれば、映像再生装置の制御方法では、単位期間中の通信量が所定量を超えた場合に通信速度が制限される通信網を介して映像を受信する映像再生装置の制御方法において、映像再生装置が有する取得部が、通信網を監視する監視装置から単位期間中に映像再生装置が通信した通信量を取得し、映像を配信する配信装置から視聴対象の映像の再生時間を取得し、映像再生装置が有する決定部が、通信網を介して受信した映像を再生した再生履歴を示す履歴情報、単位期間中の通信量および視聴対象の映像の再生時間に基づいて、視聴対象の映像の仕様を決定し、映像再生装置が有する通信部が、仕様を示す情報を配信装置に送信し、仕様に対応した視聴対象の映像を配信装置から受信し、映像再生装置が有する出力部が、配信装置から受信した映像を出力する。
【発明の効果】
【０００９】
本件開示の映像再生装置および映像再生装置の制御方法は、映像の再生において通信網における通信速度の制限を回避することができる。
【図面の簡単な説明】
【００１０】
【図１】映像再生装置および映像再生装置の制御方法の一実施形態を示す図である。
【図２】映像再生装置および映像再生装置の制御方法の別の実施形態を示す図である。
【図３】図２に示した履歴テーブルに格納される情報の一例を示す図である。
【図４】図２に示した映像テーブルに格納される情報の一例を示す図である。
【図５】図２に示した映像再生装置における映像再生処理の一例を示す図である。
【図６】映像再生装置および映像再生装置の制御方法の別の実施形態を示す図である。
【図７】図６に示した映像再生装置における映像再生処理の一例を示す図である。
【図８】図７に示した映像再生処理の続きを示す図である。
【図９】図７に示したステップＳ１４０ａの処理の一例を示す図である。
【図１０】映像再生装置および映像再生装置の制御方法の別の実施形態を示す図である。
【図１１】図１０に示した映像再生装置における映像再生装置の制御処理の一例を示す図である。
【図１２】図１１に示した映像再生処理の続きを示す図である。
【図１３】図１１に示したステップＳ１４０ｂの処理の一例を示す図である。
【図１４】図１３に示したステップＳ１４０ｂの処理の続きを示す図である。
【図１５】図２、図６および図１０に示した映像再生装置のハードウェアの一例を示す図である。
【発明を実施するための形態】
【００１１】
以下、図面を用いて実施形態を説明する。
【００１２】
図１は、映像再生装置および映像再生装置の制御方法の一実施形態を示す。
【００１３】
図１に示す映像再生装置１０は、例えば、スマートホンあるいはタブレット型端末等の携帯通信端末に搭載される。映像再生装置１０は、月単位等の所定の単位期間中の通信量が所定量を超えた場合に通信速度が制限される通信網３０に、無線等を介して接続される。また、通信網３０には、例えば、有線または無線を介して、通信網３０における通信量等を監視する監視装置３５および動画等の映像を配信する配信装置２０が接続される。これにより、例えば、映像再生装置１０と、配信装置２０とは、映像再生システム１００として動作する。
【００１４】
配信装置２０は、例えば、複数の映像のストリームデータを格納するハードディスク装置あるいはＲＡＩＤ（Redundant Arrays of Inexpensive Disks）等の記憶装置を含むコンピュータ装置である。そして、配信装置２０は、映像再生装置１０から視聴指示を受けた映像を配信する。なお、映像再生装置１０を使用するユーザは、携帯通信端末に設けられるタッチパネル等を操作し、視聴したい映像を指定する。映像再生装置１０は、指定された映像を視聴対象の映像として配信させるための視聴指示を配信装置２０に送信する。
【００１５】
配信装置２０は、視聴指示を受けた映像の再生時間を示す情報を映像再生装置１０に送信する機能を有する。また、配信装置２０は、視聴指示された映像の仕様を映像再生装置１０から受信した場合、受信した仕様に対応した映像のストリームデータを映像再生装置１０に送信する機能を有する。なお、配信装置２０は、視聴指示を受けた映像の再生時間を示す情報とともに、配信装置２０に含まれる記憶装置に格納される映像のストリームデータの１フレームの画素数、フレームレートおよびビットレート等を示す仕様を映像再生装置１０に送信してもよい。また、図１に示した通信網３０には、１つの配信装置２０が接続されるが、複数の配信装置２０が接続されてもよい。また、配信装置２０は、インターネット等のネットワークを介して、通信網３０に接続されてもよい。
【００１６】
通信網３０は、例えば、通信事業者が管理する回線であり、映像再生装置１０と配信装置２０および監視装置３５との通信を中継する。監視装置３５は、通信網３０を介して映像再生装置１０を搭載した携帯通信端末が通信した通信量等の使用状況を監視するコンピュータ装置である。監視装置３５は、携帯通信端末による通信網３０の使用状況を示す情報を、監視装置３５に含まれるハードディスク装置あるいはＲＡＩＤ等の記憶装置に格納する。監視装置３５は、通信網３０を介して、単位期間中に携帯通信端末が通信した通信量が所定量（例えば、７ギガバイト等）以下の場合、通信網３０における携帯通信端末の通信速度を、ベストエフォート等の通信サービスにおいて最速の通信速度に設定する。一方、監視装置３５は、単位期間中の通信量が所定量を超えた場合、通信網３０における携帯通信端末の通信速度を、ベストエフォート等の通信サービスで設定される通信速度よりも遅い、一定の通信速度（例えば、１２８ｋｂｐｓ等）に設定する。
【００１７】
映像再生装置１０は、取得部１１、記憶部１２、決定部１３、通信部１４および出力部１５を有する。取得部１１は、監視装置３５から通信網３０を介して単位期間中に携帯通信端末が通信した通信量を取得する。また、取得部１１は、通信網３０を介して、視聴指示した視聴対象の映像の再生時間を配信装置２０から取得する。記憶部１２は、これまでに通信網３０を介して受信した映像を再生した再生履歴を示す履歴情報を格納する。決定部１３は、取得部１１から単位期間中の通信量および視聴対象の映像の再生時間を受け、記憶部１２から履歴情報を受ける。決定部１３は、履歴情報、監視装置３５から取得した単位期間中の通信量および配信装置２０から取得した視聴対象の映像の再生時間に基づいて、視聴対象の映像の仕様を決定する。通信部１４は、決定部１３から決定された仕様を示す情報を受け、通信網３０を介して、仕様を示す情報を配信装置２０に送信する。また、通信部１４は、仕様に対応して配信装置２０から送信される視聴対象の映像を、通信網３０を介して受信する。出力部１５は、通信部１４が受信した視聴対象の映像を出力する。
【００１８】
以上、図１に示した実施形態では、映像再生装置１０は、配信装置２０から受信する視聴対象の映像の仕様を、履歴情報、単位期間中の通信量および視聴対象の映像の再生時間に基づいて決定する。映像再生装置１０は、決定した仕様を配信装置２０に送信し、仕様に対応した視聴対象の映像のストリームデータを受信することで、単位期間中の通信量を通信網３０に設定された所定量以下にするように調整できる。例えば、映像再生装置１０は、単位期間中の通信量が所定量に達するまでの残りの通信量に応じて、配信装置２０から受信する視聴対象の映像の仕様に含まれるビットレートを絞る。あるいは、映像再生装置１０は、単位期間中の通信量が所定量に達するまでの残りの通信量に応じて、配信装置２０から受信する視聴対象の映像の仕様に含まれる１フレームの画素数およびフレームレートを絞る。このように、映像再生装置１０は、単位期間中の通信量を所定量以下となるように、視聴対象の映像の仕様を調整することにより、通信網３０における通信速度の制限を回避できる。また、例えば、追加料金の支払いにより通信網３０における通信端末の制限が解除可能な場合に、映像再生装置１０は、単位期間中の通信量を所定量以下になるように、視聴対象の映像の仕様を調整することにより、追加料金の発生を抑止することができる。
【００１９】
図２は、映像再生装置および映像再生装置の制御方法の別の実施形態を示す。図１で説明した要素と同一または同様な要素については、同一または同様の符号を付し、これ等については、詳細な説明を省略する。例えば、映像再生装置１０ａと、配信装置２０とは、映像再生システム１００ａとして動作する。
【００２０】
映像再生装置１０ａは、例えば、スマートホンあるいはタブレット型端末等の携帯通信端末に搭載される。映像再生装置１０ａは、無線を介して、通信網３０に接続される。配信装置２０は、有線または無線を介してインターネット等のネットワーク４０に接続される。そして、通信網３０とネットワーク４０とは、有線または無線で互いに接続される。
【００２１】
また、配信装置２０は、例えば、視聴指示された映像の仕様を映像再生装置１０ａから受信した場合、受信した仕様に基づいて、１フレームの画像数、フレームレートおよびビットレートのいずれかを変換するトランスコード処理を視聴指示された映像に実行する。配信装置２０は、トランスコード処理を実行した映像のストリームデータを映像再生装置１０ａに送信する。また、映像の仕様には、１フレームの画素数、フレームレートおよびビットレート等が含まれる。さらに、配信装置２０は、視聴指示された映像の再生時間を示す情報とともに、配信装置２０が含む記憶装置に格納される映像のストリームデータの１フレームの画素数、フレームレートおよびビットレート等を示す仕様を映像再生装置１０ａに送信してもよい。
【００２２】
また、図２では、１つの配信装置２０がネットワーク４０に接続されるが、複数の配信装置２０がネットワーク４０に接続されてもよい。あるいは、配信装置２０は、通信網３０に接続されてもよい。
【００２３】
映像再生装置１０ａは、取得部１１ａ、記憶部１２ａ、決定部１３ａ、通信部１４ａおよび出力部１５ａを有する。
【００２４】
取得部１１ａは、例えば、契約月等の所定の単位期間中に携帯通信端末が通信網３０を介して通信した通信量を取得する送信要求を、通信部１４ａを介して監視装置３５に送信する。取得部１１ａは、監視装置３５から単位期間中の通信量を取得する。また、取得部１１ａは、映像の視聴指示を受けた場合、指示された視聴対象の映像の再生時間を配信装置２０から取得する。なお、映像再生装置１０ａを使用するユーザは、携帯通信端末に設けられるタッチパネル等を操作し、視聴したい映像を指定する。映像再生装置１０ａは、指定された映像を視聴対象の映像として配信させるための視聴指示を配信装置２０に送信する。
【００２５】
また、取得部１１ａは、映像再生装置１０ａを搭載する携帯通信端末の電源が投入された時、あるいは１日のうちの予め設定された所定の時刻に、単位期間中の通信量を監視装置３５から取得してもよい。あるいは、取得部１１ａは、映像の視聴指示を受けた場合に、単位期間中の通信量を監視装置３５から取得してもよい。
【００２６】
さらに、取得部１１ａは、配信装置２０が映像のストリームデータの送信を終了した場合、あるいは映像再生装置１０ａが映像の再生を終了する指示を受けた場合に、再生した映像に関する情報を、再生履歴を示す履歴情報として記憶部１２ａに格納する。
【００２７】
記憶部１２ａは、例えば、通信網３０を介して配信装置２０から受信した映像を再生した再生履歴を示す履歴情報として、履歴テーブル５０を格納する領域を有する。また、記憶部１２ａは、映像の１フレームの画素数、フレームレートおよびビットレートの関係を示す映像テーブル６０を格納する領域を有する。履歴テーブル５０および映像テーブル６０については、図３および図４で説明する。
【００２８】
決定部１３ａは、例えば、履歴テーブル５０を用い、視聴指示を受けた日の前日から１週間あるいは３０日等の所定日数前までの期間において、映像再生装置１０ａが映像を再生した時間の合計を示す総再生時間を算出する。そして、決定部１３ａは、算出した総再生時間、単位期間中の通信量および視聴対象の映像の再生時間に基づいて、配信装置２０から受信する視聴対象の映像の仕様を決定する。決定部１３ａの動作については、図３および図４で説明する。
【００２９】
通信部１４ａは、例えば、ネットワーク４０に接続された配信装置２０と通信するために、通信網３０に接続される。例えば、通信部１４ａは、映像の視聴指示を受けた場合、受けた視聴指示を配信装置２０に送信する。
【００３０】
また、通信部１４ａは、例えば、通信網３０における単位期間中の通信量の送信要求を取得部１１ａから受けた場合、受けた送信要求を監視装置３５に送信する。そして、通信部１４ａは、監視装置３５から単位期間中の通信量を示す情報を受信し、受信した情報を取得部１１ａに出力する。また、通信部１４ａは、決定部１３ａから視聴対象の映像の仕様を示す情報を受けた場合、受けた情報を配信装置２０に通信網３０を介して送信する。そして、通信部１４ａは、決定部１３ａで決定した仕様にトランスコード処理が実行された視聴対象の映像のストリームデータを配信装置２０から受信する。通信部１４ａは、受信した映像のストリームデータを出力部１５ａに出力する。
【００３１】
出力部１５ａは、例えば、通信部１４ａが受信した映像のストリームデータを、携帯通信端末が有する有機ＥＬ（Electro Luminescence）パネルあるいは液晶パネル等のディスプレイに出力する。出力部１５ａは、例えば、配信装置２０から受信した映像のストリームデータを復号し、復号した映像のストリームデータを携帯通信端末が有するディスプレイに出力する。また、出力部１５ａは、配信装置２０が有する映像の一覧を示す画面あるいは映像再生装置１０ａを設定するための画面等を、携帯通信端末のディスプレイに出力してもよい。
【００３２】
図３は、図２に示した履歴テーブル５０に格納される情報の一例を示す。履歴テーブル５０には、日付、開始時刻、再生時間、回線種別および映像情報を示す情報が格納される。
【００３３】
日付の領域には、配信装置２０から受信した映像を映像再生装置１０ａが再生した年と月日とを示す情報が格納される。
【００３４】
開始時刻の領域には、映像再生装置１０ａが映像の再生を開始した時刻を示す情報が格納される。なお、開始時刻の領域には、映像再生装置１０ａが配信装置２０から映像のストリームデータの受信を開始した時刻が格納されてもよい。
【００３５】
再生時間の領域には、映像再生装置１０ａが映像を再生していた時間が格納される。図３に示す例では、再生時間の単位は、時間“ｈ”であるが、分あるいは秒でもよい。例えば、再生時間は、映像再生装置１０ａが映像の再生を終了した時刻と、開始時刻との差分から求められる。
【００３６】
回線種別の領域には、配信装置２０から映像を受信するために接続した回線（例えば、通信網３０）を示す情報が格納される。
【００３７】
映像情報の領域には、映像再生装置１０ａが再生した映像のタイトルＴ１−Ｔ５、および再生した映像の格納元を示すＵＲＬ（Uniform Resource Locator）１−ＵＲＬ５を示す情報が格納される。なお、映像情報の領域には、タイトルＴ１−Ｔ５およびＵＲＬ１−ＵＲＬ５とともに、再生した映像の１フレームの画素数、フレームレートあるいはビットレート等が格納されてもよい。
【００３８】
例えば、決定部１３ａは、配信装置２０が有する映像の視聴指示を受けた場合、図３に示した履歴テーブル５０を用いて、映像再生装置１０ａにおける映像の総再生時間を算出する。決定部１３ａは、例えば、２０１４年４月２１日に視聴指示を受けた場合、図３に網掛けで示す直前の３０日間における再生時間を読み出す。決定部１３ａは、読み出した再生時間を加算し、視聴指示を受けた日の直前の３０日間の再生時間である総再生時間を算出する。決定部１３ａは、算出した総再生時間に基づいて、通信網３０を介して受信する映像であって、視聴指示を受けた日を含む月の月末までの日数である残り期間に、再生されることが予測される映像の再生時間である予測再生時間を求める。例えば、決定部１３ａは、式（１）を用いて予測再生時間を求める。
【００３９】
【数１】
2016046584.tif 000003
【００４０】
例えば、算出した総再生時間が１２時間で、残り期間が１０日間である場合、決定部１３ａは、式（１）に基づいて、予測再生時間を４時間と算出する。そして、決定部１３ａは、予測再生時間、単位期間中の通信量および視聴対象の映像の再生時間に基づいて、視聴対象の映像に割り当てる割当データ量を算出する。例えば、決定部１３ａは、式（２）を用いて割当データ量を求める。
【００４１】
【数２】
2016046584.tif 000004
【００４２】
例えば、予測再生時間が４時間、単位期間中の通信量が３ギガバイト、通信網３０の通信速度が制限される所定量が７ギガバイト、映像の再生時間が１時間である場合、決定部１３ａは、式（２）に基づいて、映像の割当データ量を１ギガバイトと算出する。そして、決定部１３ａは、算出した割当データ量を映像の再生時間で除算することで、割当ビットレートを求める。例えば、算出された割当データ量が１ギガバイトで、映像の再生時間が１時間である場合、決定部１３ａは、２．２７Ｍｂｐｓを割当ビットレートとする。残り期間の再生時間が予測再生時間以下の場合、決定部１３ａは、映像のビットレートを割当ビットレート以下に決定することで、通信網３０における通信速度の制限を回避できる。
【００４３】
なお、図３に示した履歴テーブル５０の回線種別の領域には、Ｗｉ−Ｆｉ（Wireless Fidelity）（登録商標）等の規格の回線を示す情報が格納される場合がある。この場合には、決定部１３ａは、通信網３０の使用頻度を求めるために、Ｗｉ−Ｆｉ等の回線を介して受信した映像の再生時間を除外し、総再生時間を算出するのがよい。また、履歴テーブル５０は、例えば、回線種別および映像情報の領域のいずれかが省略されてもよい。回線種別の領域が省略される場合、取得部１１ａは、通信網３０を介して受信した映像の再生に関する情報を履歴テーブル５０に格納する。
【００４４】
図４は、図２に示した映像テーブル６０に格納される情報の一例を示す。映像テーブル６０には、例えば、１フレームの画素数、フレームレートおよびビットレートを示す情報が格納される。
【００４５】
１フレームの画素数の領域には、映像の１フレームにおける画素数を示す情報が格納される。フレームレートの領域には、映像のフレームレートを示す情報が格納される。ビットレートの領域には、映像のビットレートを示す情報が格納される。なお、映像のビットレートは、映像の１フレームの画素数とフレームレートとから求められる。
【００４６】
例えば、決定部１３ａは、映像テーブル６０を用い、算出した割当ビットレートの範囲内に収まる１フレームの画素数、フレームレートおよびビットレート等を含む映像の仕様を決定する。例えば、算出した割当ビットレートが２．２７Ｍｂｐｓの場合、決定部１３ａは、映像テーブル６０に基づいて、映像の仕様として１フレームの画素数、フレームレートおよびビットレートの各々を、８５４×４８０、３０ｆｐｓおよび１．２５Ｍｂｐｓに決定する。そして、通信部１４ａは、決定部１３ａで決定された１フレームの画素数、フレームレートおよびビットレートを含む映像の仕様を配信装置２０に送信する。
【００４７】
配信装置２０は、受信した映像の仕様をトランスコード処理のパラメータとして、視聴指示を受けた映像にトランスコード処理を実行する。例えば、受信した仕様に含まれる１フレームの画素数が、配信装置２０が有する映像のフレームの画素数より小さい場合、配信装置２０は、１フレームの画素数が受信した仕様となるように、映像のフレームの画素数を縮小するトランスコード処理を実行する。あるいは、受信した仕様に含まれるフレームレートが、配信装置２０が有する映像のフレームレートより小さい場合、配信装置２０は、フレームレートが受信した仕様となるように、映像のフレームレートを変更するトランスコード処理を実行する。なお、受信した仕様が、配信装置２０が有する映像の仕様と一致する場合、配信装置２０は、トランスコード処理を省略してもよい。
【００４８】
なお、決定部１３ａは、映像テーブル６０とともに、例えば、通信網３０との間の通信速度および携帯通信端末が含む有機ＥＬ等のディスプレイの映像表示の処理能力等の範囲内に収まるように、視聴対象の映像の仕様を決定してもよい。この場合の映像再生装置１０ａの動作については、図６から図９で説明する。
【００４９】
図５は、図２に示した映像再生装置１０ａにおける映像再生処理の一例を示す。図５（ａ）は、映像再生装置１０ａの動作の例を示し、図５（ｂ）は、通信網３０の監視装置３５の動作の例を示す。また、図５（ｃ）は、配信装置２０の動作の例を示す。図５（ａ）に示したステップＳ１００からステップＳ１６０の処理は、映像再生装置１０ａに含まれるプロセッサ等の制御部が映像再生プログラムを実行することにより実現される。図５（ｂ）に示したステップＳ２００の処理は、監視装置３５に含まれるプロセッサ等の制御部がプログラムを実行することにより実現される。また、図５（ｃ）に示したステップＳ３００、ステップＳ３１０およびステップＳ３２０の処理は、配信装置２０に含まれるプロセッサ等の制御部がプログラムを実行することにより実現される。すなわち、図５は、映像再生装置１０ａの制御方法の別の実施形態を示す。なお、図５に示す処理は、映像再生装置１０ａ、監視装置３５および配信装置２０に搭載されるハードウェアにより実行されてもよい。この場合、図２に示した取得部１１ａ、決定部１３ａ、通信部１４ａおよび出力部１５ａは、映像再生装置１０ａ内に配置される回路により実現される。
【００５０】
ステップＳ１００では、取得部１１ａは、図２において説明したように、契約月の単位期間中に携帯通信端末が通信網３０を介して通信した通信量の送信要求を、通信部１４ａを介して、監視装置３５に送信する。
【００５１】
ステップＳ１１０では、取得部１１ａは、図２において説明したように、送信要求した単位期間中の通信量を示す情報を、通信部１４ａを介して監視装置３５から取得する。例えば、取得部１１ａは、取得した単位期間の通信量を示す情報を、記憶部１２ａに格納する。そして、映像再生装置１０ａは、配信装置２０が有する映像の視聴指示を受けるまで待機する。
【００５２】
ステップＳ１２０では、通信部１４ａは、図２において説明したように、映像再生装置１０ａが映像の視聴指示を受けた場合、視聴指示された視聴対象の映像の送信を、通信網３０およびネットワーク４０を介して配信装置２０に要求する。
【００５３】
ステップＳ１３０では、取得部１１ａは、図２において説明したように、送信を要求した視聴対象の映像の再生時間を配信装置２０から取得する。例えば、取得部１１ａは、取得した再生時間を記憶部１２ａに格納する。
【００５４】
ステップＳ１４０では、決定部１３ａは、図２から図４において説明したように、視聴対象の映像の仕様を決定する。例えば、決定部１３ａは、図３に示した履歴テーブル５０に基づいて、視聴指示を受けた日の前日から３０日前までの期間における映像の総再生時間を算出する。決定部１３ａは、算出した総再生時間、ステップＳ１１０で取得された単位期間中の通信量およびステップＳ１３０で取得された映像の再生時間に基づいて、視聴対象の映像に割り当てる割当データ量を算出する。そして、決定部１３ａは、算出した割当データ量を映像の再生時間で除算することで割当ビットレートを算出し、算出した割当ビットレートと図４に示した映像テーブル６０とに基づいて、視聴対象の映像の仕様を決定する。これにより、視聴対象の映像の１フレームの画素数、フレームレートおよびビットレートが決定する。
【００５５】
ステップＳ１５０では、通信部１４ａは、図２から図４で説明したように、ステップＳ１４０で決定された１フレームの画素数、フレームレートおよびビットレートを含む視聴対象の映像の仕様を配信装置２０に送信する。
【００５６】
ステップＳ１６０では、出力部１５ａは、図２において説明したように、配信装置２０から受信した視聴対象の映像のストリームデータを復号し、復号した映像のストリームデータを、携帯通信端末が有する有機ＥＬパネル等のディスプレイに出力する。
【００５７】
そして、映像再生装置１０ａは、配信装置２０が映像のストリームデータの送信を終了した場合、あるいは映像再生装置１０ａが映像の視聴の終了指示を受けた場合に、処理を終了する。なお、図５（ａ）に示したステップＳ１２０からステップＳ１６０の処理は、映像の視聴指示を受ける毎に、繰り返し実行されることが好ましい。また、取得部１１ａは、配信装置２０が映像のストリームデータの送信を終了した場合、あるいは映像再生装置１０ａが視聴の終了指示を受けた場合に、再生した映像に関する情報を履歴テーブル５０に格納することが好ましい。
【００５８】
一方、図５（ｂ）に示したステップＳ２００では、監視装置３５は、図２で説明したように、単位期間中の通信量の送信要求を受けた場合、要求元の映像再生装置１０ａの単位期間中の通信量を、映像再生装置１０ａに送信する。
【００５９】
また、図５（ｃ）に示したステップＳ３００では、配信装置２０は、映像の送信要求を受けた場合、要求された視聴対象の映像の再生時間を映像再生装置１０ａに送信する。
【００６０】
ステップＳ３１０では、配信装置２０は、視聴対象の映像の仕様を受けた場合、受けた映像の仕様に含まれる１フレームの画素数、フレームレートおよびビットレート等をトランスコード処理のパラメータとして、視聴対象の映像にトランスコード処理を実行する。
【００６１】
次に、ステップＳ３２０において、配信装置２０は、トランスコード処理を実行した映像のストリームデータを、通信網３０を介して要求元の映像再生装置１０ａに送信する。
【００６２】
以上、図２から図５に示した実施形態では、取得部１１ａは、通信網３０を介して単位期間中に携帯通信端末が通信した通信量を監視装置３５から取得する。また、取得部１１ａは、映像の視聴指示を受けた場合、指示された視聴対象の映像の再生時間を配信装置２０から取得する。決定部１３ａは、視聴指示を受けた日の直前の３０日間等の期間に、通信網３０を介して受信した映像の再生時間を合計した総再生時間を、図３に示した履歴テーブル５０を用いて算出する。そして、決定部１３ａは、算出した総再生時間、単位期間中の通信量および映像の再生時間から視聴対象の映像の割当ビットレートを算出する。決定部１３ａは、算出した割当ビットレートと映像テーブル６０とに基づいて、視聴対象の映像の仕様を決定する。また、配信装置２０は、受信した映像の仕様に基づいて、送信要求された視聴対象の映像にトランスコード処理を実行し、トランスコード処理を実行した映像のストリームデータを映像再生装置１０ａに送信する。
【００６３】
すなわち、映像再生装置１０ａは、決定した仕様を配信装置２０に送信し、仕様に対応した視聴対象の映像のストリームデータを受信することで、単位期間中の通信量を通信網３０に設定された所定量以下に調整できる。例えば、映像再生装置１０ａは、単位期間中の通信量が所定量に達するまでの残りの通信量に応じて、配信装置２０から受信する視聴対象の映像の仕様に含まれるビットレートを絞る。あるいは、映像再生装置１０ａは、単位期間中の通信量が所定量に達するまでの残りの通信量に応じて、配信装置２０から受信する視聴対象の映像の仕様に含まれる１フレームの画素数およびフレームレートを絞る。このように、映像再生装置１０ａは、単位期間中の通信量を所定量以下となるように、視聴対象の映像の仕様を調整することにより、通信網３０における通信速度の制限を回避できる。また、例えば、追加料金の支払いにより通信網３０における通信速度の制限が解除可能な場合に、映像再生装置１０ａは、単位期間中の通信量を所定量以下となるように、視聴対象の映像の仕様を調整することにより、追加料金の発生を抑止することができる。
【００６４】
図６は、映像再生装置および映像再生装置の制御方法の別の実施形態を示す。図２から図５で説明した要素と同一または同様な要素については、同一または同様の符号を付し、これ等については、詳細な説明を省略する。例えば、映像再生装置１０ｂと、配信装置２０とは、映像再生システム１００ａとして動作する。
【００６５】
図６に示した映像再生装置１０ｂは、取得部１１ａ、記憶部１２ａ、決定部１３ｂ、通信部１４ａ、出力部１５ａおよび計測部１６を有する。
【００６６】
計測部１６は、例えば、通信網３０を介して、配信装置２０と通信したときの通信速度を計測する。例えば、計測部１６は、通信網３０を介して、通信部１４ａが配信装置２０から所定時間に受けたデータの量を通信量として求め、求めた通信量を所定時間で除算することで通信速度を計測する。あるいは、計測部１６は、映像再生装置１０ｂが映像の視聴指示を受けた場合に、通信網３０を介して、ｐｉｎｇ等のコマンドを配信装置２０に送信する。計測部１６は、コマンドを送信してから、送信したコマンドに対する配信装置２０の応答を受けるまでの時間を求め、通信速度を計測してもよい。
【００６７】
例えば、決定部１３ｂは、図２に示した決定部１３ａと同様に、映像再生装置１０ｂが映像の視聴指示を受けた場合、図３に示した履歴テーブル５０に基づいて、映像再生装置１０ｂにおける映像の総再生時間を算出する。決定部１３ｂは、算出した総再生時間、単位期間中の通信量および映像の再生時間に基づいて、割当ビットレートを算出する。決定部１３ｂは、算出した割当ビットレートと、計測部１６で計測された通信速度と、携帯通信端末が含む有機ＥＬパネル等のディスプレイの映像表示の処理能力とを比較する。決定部１３ｂは、比較した結果と図４に示した映像テーブル６０とに基づき視聴対象の映像の仕様を決定する。決定部１３ｂの動作については、図７から図９で説明する。
【００６８】
なお、映像再生装置１０ｂを搭載する携帯通信端末のディスプレイの映像表示の処理能力は、携帯通信端末が有するプロセッサ等の制御部の処理能力、ディスプレイの駆動方式およびディスプレイの画素の応答速度等に応じて決まる。すなわち、携帯通信端末のディスプレイは、表示できる映像の１フレームの画素数およびフレームレートが予め設定される。そして、映像再生装置１０ｂは、携帯通信端末のディスプレイに設定された映像の１フレームの画素数、フレームレートおよびビットレートを、携帯通信端末のディスプレイの映像表示に関する情報として記憶部１２ａに格納する。なお、携帯通信端末のディスプレイに設定されるビットレートは、図４で説明したように、映像の１フレームの画素数およびフレームレートに対応したビットレートである。
【００６９】
図７および図８は、図６に示した映像再生装置１０ｂにおける映像再生処理の一例を示す。なお、図７および図８に示したステップの動作のうち、図５に示したステップと同一または同様の処理を示すものについては、同一のステップ番号を付し、詳細な説明を省略する。図７（ａ）および図８（ａ）に示したステップＳ１００、Ｓ１１０、Ｓ１１５、Ｓ１２０、Ｓ１３０、Ｓ１４０ａ、Ｓ１５０、Ｓ１６０、Ｓ１７０の動作は、映像再生装置１０ｂに含まれるプロセッサ等の制御部が映像再生プログラムを実行することにより実現される。図７（ｂ）に示したステップＳ２００の処理は、監視装置３５に含まれるプロセッサ等の制御部がプログラムを実行することにより実現される。また、図７（ｃ）および図８（ｃ）に示したステップＳ３００、ステップＳ３１０およびステップＳ３２０の処理は、配信装置２０に含まれるプロセッサ等の制御部がプログラムを実行することにより実現される。すなわち、図７および図８は、映像再生装置１０ｂの制御方法の別の実施形態を示す。
【００７０】
なお、図７および図８に示す処理は、映像再生装置１０ｂ、監視装置３５および配信装置２０に搭載されるハードウェアにより実行されてもよい。この場合、図６に示した取得部１１ａ、決定部１３ｂ、通信部１４ａ、出力部１５ａおよび計測部１６は、映像再生装置１０ｂ内に配置される回路により実現される。また、図７（ｂ）および図８（ｂ）に示した監視装置３５と、図７（ｃ）および図８（ｃ）に示した配信装置２０との動作は、図５（ｂ）に示した監視装置３５と図５（ｃ）に示した配信装置２０との動作と同一または同様である。そこで、図７および図８では、映像再生装置１０ｂの動作について説明する。
【００７１】
映像再生装置１０ｂは、図７（ａ）に示したステップＳ１００およびステップＳ１１０の処理を実行した後、ステップＳ１１５の処理を実行する。
【００７２】
ステップＳ１１５では、計測部１６は、図６において説明したように、通信網３０を介して配信装置２０と通信をしたときの通信速度を計測する。そして、映像再生装置１０ｂの動作は、ステップＳ１２０に移る。
【００７３】
映像再生装置１０ｂは、ステップＳ１２０およびステップＳ１３０の処理を実行した後、ステップＳ１４０ａの処理を実行する。
【００７４】
ステップＳ１４０ａでは、決定部１３ｂは、図６において説明したように、視聴対象の映像の仕様を決定する。決定部１３ｂによるステップＳ１４０ａの処理については、図９で説明する。
【００７５】
映像再生装置１０ｂは、ステップＳ１４０ａの処理を実行した後、ステップＳ１５０およびステップＳ１６０の処理を実行する。映像再生装置１０ｂの動作は、ステップＳ１７０の処理に移る。
【００７６】
図８（ａ）に示したステップＳ１７０では、取得部１１ａは、配信装置２０が映像のストリームデータの送信を終了した場合、あるいは映像再生装置１０ｂが視聴の終了指示を受けた場合に、再生した映像に関する情報を履歴テーブル５０に格納する。
【００７７】
そして、映像再生装置１０ｂは、処理を終了する。なお、図７（ａ）および図８（ａ）に示したステップＳ１１５からステップＳ１７０の処理は、映像の視聴指示を受ける毎に、繰り返し実行されることが好ましい。
【００７８】
図９は、図７に示したステップＳ１４０ａの処理の一例を示す。図９に示したステップＳ４００からステップＳ４９０の動作は、映像再生装置１０ｂに含まれるプロセッサ等の制御部がプログラムを実行することにより実現される。また、図９に示す処理は、映像再生装置１０ｂに搭載されるハードウェアにより実行されてもよい。
【００７９】
ステップＳ４００では、決定部１３ｂは、図２、図３、図４および図６で説明したように、図３に示した履歴テーブル５０に基づいて、視聴指示を受けた日の直前の３０日間の再生時間である総再生時間を算出する。
【００８０】
ステップＳ４１０では、決定部１３ｂは、ステップＳ４００で算出した総再生時間、ステップＳ１１０で取得された単位期間中の通信量およびステップＳ１３０で取得された映像の再生時間に基づき、視聴対象の映像に割り当てる割当ビットレートを算出する。例えば、決定部１３ｂは、図２、図３、図４および図６で説明したように、算出した総再生時間、単位期間中の通信量および映像の再生時間に基づいて、視聴対象の映像に割り当てる割当データ量を算出する。そして、決定部１３ｂは、算出した割当データ量を映像の再生時間で除算することで割当ビットレートを算出する。
【００８１】
次に、ステップＳ４２０では、決定部１３ｂは、ステップＳ１１５で計測部１６により計測された通信速度が、携帯通信端末が含むディスプレイの映像表示のビットレートより小さいか否かを判定する。例えば、ステップＳ１１５で計測された通信速度が携帯通信端末のディスプレイの映像表示のビットレートより小さい場合（ステップＳ４２０のＹｅｓ）、決定部１３ｂの動作は、ステップＳ４８０に移る。一方、ステップＳ１１５で計測された通信速度が携帯通信端末のディスプレイの映像表示のビットレート以上の場合（ステップＳ４２０のＮｏ）、決定部１３ｂの動作は、ステップＳ４３０に移る。
【００８２】
ステップＳ４３０では、決定部１３ｂは、ステップＳ４１０で算出した割当ビットレートが、携帯通信端末のディスプレイの映像表示のビットレートより小さいか否かを判定する。例えば、割当ビットレートが携帯通信端末のディスプレイの映像表示のビットレートより小さい場合（ステップＳ４３０のＹｅｓ）、決定部１３ｂの動作は、ステップＳ４４０に移る。一方、割当ビットレートが携帯通信端末のディスプレイの映像表示のビットレート以上の場合（ステップＳ４３０のＮｏ）、決定部１３ｂの動作は、ステップＳ４７０に移る。
【００８３】
ステップＳ４４０では、決定部１３ｂは、視聴指示された視聴対象の映像の仕様として、ステップＳ４１０で算出した割当ビットレートを使用するか否かを判定する。例えば、決定部１３ｂが割当ビットレートの使用を判定するための設定は、映像再生装置１０ｂを搭載する携帯通信端末が含むタッチパネル等のユーザによる操作により予め実行される。そして、映像再生装置１０ｂは、実行された割当ビットレートの使用に関する設定の情報を記憶部１２ａに割り当てられた領域に格納する。決定部１３ｂは、割当ビットレートの使用に関する設定の情報を記憶部１２ａから読み出し、読み出した情報が割当ビットレートを使用する設定の場合（ステップＳ４４０のＹｅｓ）、ステップＳ４６０の処理を実行する。すなわち、割当ビットレートを使用する場合（ステップＳ４４０のＹｅｓ）、決定部１３ｂの動作はステップＳ４６０に移る。一方、決定部１３ｂは、読み出した情報が割当ビットレートを使用しない設定の場合（ステップＳ４４０のＮｏ）、ステップＳ４５０の処理を実行する。すなわち、割当ビットレートを使用しない場合（ステップＳ４４０のＮｏ）、決定部１３ｂの動作はステップＳ４５０に移る。
【００８４】
なお、割当ビットレートの使用に関する設定が予め実行されるとしたが、例えば、決定部１３ｂは、映像の視聴指示を受ける毎に、割当ビットレートを使用するか否かを、携帯通信端末が含むディスプレイを介して、ユーザに問い合わせてもよい。
【００８５】
ステップＳ４５０では、決定部１３ｂは、通信網３０の通信速度の制限を回避するために、通信網３０との通信で設定された所定量（制限を受けない通信量の上限）を増加するか否かを判定する。例えば、所定量の増加を判定するための設定が、映像再生装置１０ｂを搭載する携帯通信端末が含むタッチパネル等のユーザによる操作により予め実行される。そして、映像再生装置１０ｂは、所定量の増加に関する設定の情報を記憶部１２ａに割り当てられた領域に格納する。決定部１３ｂは、所定量の増加に関する設定の情報を記憶部１２ａから読み出し、読み出した情報が所定量を増加する設定の場合（ステップＳ４５０のＹｅｓ）、追加料金の支払いにより所定量を増加させる。決定部１３ｂは、増加した所定量に基づく新たな割当ビットレートを算出するために、ステップＳ４１０の処理を実行する。すなわち、所定量を増加させる場合（ステップＳ４５０のＹｅｓ）、決定部１３ｂの動作はステップＳ４１０に戻る。一方、決定部１３ｂは、読み出した情報が所定量を増加しない設定の場合（ステップＳ４５０のＮｏ）、視聴指示された映像を受信するビットレートを割当ビットレートに設定する。そして、決定部１３ｂの動作は、ステップＳ４６０に移る。
【００８６】
なお、所定量の増加に関する設定が予め実行されるとしたが、例えば、決定部１３ｂは、映像の視聴指示を受ける毎に、通信網３０との通信の所定量を増加するか否かを、携帯通信端末が含むディスプレイを介して、ユーザに問い合わせてもよい。
【００８７】
ステップＳ４６０では、決定部１３ｂは、図４に示した映像テーブル６０に基づいて、ステップＳ４１０で算出した割当ビットレートに応じた１フレームの画素数、フレームレートおよびビットレートを、視聴対象の映像の仕様として決定する。これにより、ステップＳ１４０ａの処理は終了する。そして、映像再生装置１０ｂの動作は、図８（ａ）に示したステップＳ１５０に移る。
【００８８】
ステップＳ４７０では、決定部１３ｂは、ステップＳ４１０で算出した割当ビットレートと、携帯通信端末が含むディスプレイの映像表示の画素数およびフレームレートとを、視聴対象の映像の仕様として決定する。これにより、ステップＳ１４０ａの処理は終了する。そして、映像再生装置１０ｂの動作は、図８（ａ）に示したステップＳ１５０に移る。
【００８９】
ステップＳ４８０では、決定部１３ｂは、ステップＳ１１５で計測された通信速度が、ステップＳ４１０で算出した割当ビットレートより小さいか否かを判定する。ステップＳ１１５で計測された通信速度が割当ビットレートより小さい場合（ステップＳ４８０のＹｅｓ）、決定部１３ｂの動作は、ステップＳ４９０に移る。一方、ステップＳ１１５で計測された通信速度が割当ビットレート以上の場合（ステップＳ４８０のＮｏ）、決定部１３ｂの動作は、ステップＳ４４０に移る。すなわち、ステップＳ１１５で計測された通信速度および携帯通信端末が含むディスプレイの映像表示のビットレートと比べて、割当ビットレートが最も小さい場合、決定部１３ｂの動作は、ステップＳ４４０に移る。
【００９０】
ステップＳ４９０では、決定部１３ｂは、図４に示した映像テーブル６０に基づいて、ステップＳ１１５で計測された通信速度に応じた１フレームの画素数、フレームレートおよびビットレートを、視聴対象の映像の仕様として決定する。これにより、ステップＳ１４０ａの処理は終了する。そして、映像再生装置１０ｂの動作は、図８（ａ）に示したステップＳ１５０に移る。
【００９１】
このように、計測された通信速度、算出した割当ビットレートおよび携帯通信端末のディスプレイの映像表示のビットレートのうち、割当ビットレートが最小の場合、決定部１３ｂは、割当ビットレートに応じた映像の仕様を決定する（ステップＳ４６０）。また、携帯通信端末のディスプレイの映像表示のビットレートが最小の場合、決定部１３ｂは、算出した割当ビットレートと、携帯通信端末のディスプレイの画素数およびフレームレートとを視聴対象の映像の仕様として決定する（ステップＳ４７０）。また、計測された通信速度、算出した割当ビットレートおよび携帯通信端末のディスプレイの映像表示のビットレートのうち、計測された通信速度が最小の場合、決定部１３ｂは、計測された通信速度に応じた視聴対象の映像の仕様を決定する（ステップＳ４９０）。
【００９２】
以上、図６から図９に示した実施形態では、取得部１１ａは、通信網３０を介して単位期間中に携帯通信端末が通信した通信量を監視装置３５から取得する。また、取得部１１ａは、映像の視聴指示を受けた場合、指示された視聴対象の映像の再生時間を配信装置２０から取得する。計測部１６は、通信網３０を介して配信装置２０と通信したときの通信速度を計測する。決定部１３ｂは、視聴指示を受けた日の直前の３０日間等の期間に、通信網３０を介して受信した映像の再生時間を合計した総再生時間を、図３に示した履歴テーブル５０を用いて算出する。そして、決定部１３ｂは、算出した総再生時間、単位期間中の通信量および視聴対象の映像の再生時間から、視聴対象の映像の割当ビットレートを算出する。決定部１３ｂは、算出した割当ビットレート、計測された通信速度および携帯通信端末が含むディスプレイの映像表示のビットレートを比較し、比較した結果と映像テーブル６０とに基づいて視聴対象の映像の仕様を決定する。また、配信装置２０は、受信した映像の仕様に基づいて、送信要求された視聴対象の映像にトランスコード処理を実行し、トランスコード処理を実行した映像のストリームデータを映像再生装置１０ｂに送信する。
【００９３】
すなわち、映像再生装置１０ｂは、決定した仕様を配信装置２０に送信し、仕様に対応した視聴対象の映像のストリームデータを受信することで、単位期間中の通信量を通信網３０に設定された所定量以下に調整できる。例えば、映像再生装置１０ｂは、単位期間中の通信量が所定量に達するまでの残りの通信量に応じて、配信装置２０から受信する視聴対象の映像の仕様に含まれるビットレートを絞る。あるいは、映像再生装置１０ｂは、単位期間中の通信量が所定量に達するまでの残りの通信量に応じて、配信装置２０から受信する視聴対象の映像の仕様に含まれる１フレームの画素数およびフレームレートのいずれかを絞る。このように、映像再生装置１０ｂは、単位期間中の通信量を所定量以下となるように、視聴対象の映像の仕様を調整することにより、通信網３０における通信速度の制限を回避できる。また、映像再生装置１０ｂは、単位期間中の通信量を所定量以下となるように、視聴対象の映像の仕様を調整することにより、通信網３０に設定された通信の所定量を増加させる追加料金の発生を抑止することができる。
【００９４】
また、決定部１３ｂは、算出した割当ビットレートと、計測された通信速度と、携帯通信端末のディスプレイの映像表示の処理能力とを比較し、通信網３０に設定された所定量の範囲内で最適な映像の仕様を決定することで、従来と比べて快適に映像を再生できる。
【００９５】
なお、決定部１３ｂは、ステップＳ４００において、図３に示した履歴テーブル５０を用いて、視聴指示を受けた日の直前の３０日間等の期間に、通信網３０を介して受信した映像の再生時間を合計した総再生時間を算出したが、これに限定されない。例えば、決定部１３ｂは、ステップＳ１７０で履歴テーブル５０に再生された映像に関する情報が新たに格納され、同日に同一または別の映像の視聴指示を受けた場合、ステップＳ４００で算出した総再生時間に新たに格納された映像の再生時間を加算してもよい。また、計測部１６は、ステップＳ１７０で新たに履歴テーブル５０に格納された映像の通信量を計測し、決定部１３ｂは、計測された通信量をステップＳ１１０で取得された単位期間中の通信量に加算してもよい。すなわち、決定部１３ｂは、新たに格納された映像の再生時間および通信量を総再生時間および単位期間中の通信量に加算することで、同日に同一または別の映像の視聴指示を受けた場合、視聴対象の映像の仕様を従来と比べて正確に決定できる。また、映像再生装置１０ｂは、単位期間中の通信量を正確に把握できるので、従来と比べて確度高く通信網３０における通信速度の制限を回避することができる。
【００９６】
図１０は、映像再生装置および映像再生装置の制御方法の別の実施形態を示す。図６から図９で説明した要素と同一または同様な要素については、同一または同様の符号を付し、これ等については、詳細な説明を省略する。例えば、映像再生装置１０ｃと、配信装置２０とは、映像再生システム１００ａとして動作する。
【００９７】
図１０に示した映像再生装置１０ｃは、取得部１１ａ、記憶部１２ａ、決定部１３ｃ、通信部１４ｂ、出力部１５ａおよび計測部１６ａを有する。
【００９８】
通信部１４ｂは、例えば、ネットワーク４０に接続された配信装置２０と通信するために、通信網３０あるいはＷｉ−Ｆｉ等の通信規格の無線回線７０を介してネットワーク４０に接続される。なお、通信部１４ｂが無線回線７０を介してネットワーク４０に接続され、単位期間中の通信量が所定量を超えている場合でも、映像再生装置１０ｃと配信装置２０との間の通信速度は、ベストエフォート等の通信サービスにおいて最速の速度に設定される。
【００９９】
計測部１６ａは、例えば、図６に示した計測部１６と同様に、通信網３０あるいは無線回線７０を介して配信装置２０と通信したときの通信速度を計測する。
【０１００】
決定部１３ｃは、例えば、通信部１４ｂが通信網３０を介してネットワーク４０に接続される場合、視聴指示を受けた日の直前の３０日間等の期間において、通信網３０を介して受信した映像の総再生時間を、図３に示した履歴テーブル５０を用いて算出する。決定部１３ｃは、算出した総再生時間、単位期間中の通信量および視聴対象の映像の再生時間に基づいて、視聴対象の映像に割り当てる割当ビットレートを算出する。決定部１３ｃは、算出した割当ビットレートと、計測部１６ａで計測された通信速度と、携帯通信端末が含む有機ＥＬパネル等のディスプレイの映像表示の処理能力とを比較する。決定部１３ｃは、比較した結果と図４に示した映像テーブル６０とに基づき視聴対象の映像の仕様を決定する。
【０１０１】
また、決定部１３ｃは、例えば、通信部１４ｂが無線回線７０を介してネットワーク４０に接続される場合、計測部１６ａで計測された通信速度、携帯通信端末のディスプレイの映像表示の処理能力および映像テーブル６０に基づき視聴対象の映像の仕様を決定する。
【０１０２】
図１１および図１２は、図１０に示した映像再生装置１０ｃにおける映像再生処理の一例を示す。なお、図１１および図１２に示したステップの動作のうち、図７および図８に示したステップと同一または同様の処理を示すものについては、同一のステップ番号を付し、詳細な説明を省略する。図１１（ａ）および図１２（ａ）に示したステップＳ１００、Ｓ１１０、Ｓ１１５、Ｓ１２０、Ｓ１３０、Ｓ１４０ｂ、Ｓ１５０、Ｓ１６０、Ｓ１７０の動作は、映像再生装置１０ｃに含まれるプロセッサ等の制御部がプログラムを実行することにより実現される。図１１（ｂ）に示したステップＳ２００の処理は、監視装置３５に含まれるプロセッサ等の制御部がプログラムを実行することにより実現される。また、図１１（ｃ）および図１２（ｃ）に示したステップＳ３００、ステップＳ３１０およびステップＳ３２０の処理は、配信装置２０に含まれるプロセッサ等の制御部がプログラムを実行することにより実現される。すなわち、図１１および図１２は、映像再生装置１０ｃの制御方法の別の実施形態を示す。
【０１０３】
なお、図１１および図１２に示す処理は、映像再生装置１０ｃ、監視装置３５および配信装置２０に搭載されるハードウェアにより実行されてもよい。この場合、図１０に示した取得部１１ａ、決定部１３ｃ、通信部１４ｂ、出力部１５ａおよび計測部１６ａは、映像再生装置１０ｃ内に配置される回路により実現される。また、図１１（ｂ）および図１２（ｂ）に示した監視装置３５と、図１１（ｃ）および図１２（ｃ）に示した配信装置２０との動作は、図５（ｂ）に示した監視装置３５と図５（ｃ）に示した配信装置２０との動作と同一または同様である。そこで、図１１および図１２では、映像再生装置１０ｃの動作について説明する。
【０１０４】
映像再生装置１０ｃは、図１１（ａ）に示したステップＳ１００からステップＳ１３０の処理を実行した後、ステップＳ１４０ｂの処理を実行する。
【０１０５】
ステップＳ１４０ｂでは、決定部１３ｃは、図１０において説明したように、視聴対象の映像の仕様を決定する。決定部１３ｃによるステップＳ１４０ｂの処理については、図１３および図１４で説明する。
【０１０６】
映像再生装置１０ｃは、ステップＳ１４０ｂの処理を実行した後、図１２（ａ）に示したステップＳ１５０からステップＳ１７０の処理を実行する。そして、映像再生装置１０ｃは、処理を終了する。なお、図１１（ａ）および図１２（ａ）に示したステップＳ１１５からステップＳ１７０の処理は、映像の視聴指示を受ける毎に、繰り返し実行されることが好ましい。
【０１０７】
図１３および図１４は、図１１（ａ）に示したステップＳ１４０ｂの処理の一例を示す。なお、図１３および図１４に示したステップの動作のうち、図９に示したステップと同一または同様の処理を示すものについては、同一のステップ番号を付し、詳細な説明を省略する。図１３および図１４に示したステップＳ４００からステップＳ４９０、およびステップＳ５００からステップＳ５２０の動作は、映像再生装置１０ｃに含まれるプロセッサ等の制御部がプログラムを実行することにより実現される。また、図１３および図１４に示す処理は、映像再生装置１０ｃに搭載されるハードウェアにより実行されてもよい。
【０１０８】
図１３および図１４に示したステップＳ４００からステップＳ４９０の処理は、図９に示したステップＳ４００からステップＳ４９０の処理と同一または同様である。なお、通信網３０との通信で設定された所定量（通信速度の制限を受けない通信量の上限）を増加しない設定の場合（ステップＳ４５０のＮｏ）、映像再生装置１０ｃの動作は、ステップＳ５００に移る。
【０１０９】
ステップＳ５００では、決定部１３ｃは、配信装置２０から映像を受信するために、映像再生装置１０ｃの接続先を通信網３０から無線回線７０に切り替えるか否かを判定する。例えば、決定部１３ｃが回線の切り替えを判定するための設定は、映像再生装置１０ｃを搭載する携帯通信端末が含むタッチパネル等のユーザによる操作により予め実行される。そして、映像再生装置１０ｃは、回線の切り替えに関する設定の情報を記憶部１２ａに割り当てられた領域に格納する。決定部１３ｃは、回線の切り替えに関する設定の情報を記憶部１２ａから読み出し、読み出した情報が通信網３０から無線回線７０に切り替える設定の場合（ステップＳ５００のＹｅｓ）、映像再生装置１０ｃの接続先を通信網３０から無線回線７０に切り替える。そして、映像再生装置１０ｃの動作は、ステップＳ５１０に移る。一方、決定部１３ｃは、読み出した情報が通信網３０から無線回線７０に切り替えない設定の場合（ステップＳ５００のＮｏ）、映像再生装置１０ｃの接続先を通信網３０に維持する。そして、映像再生装置１０ｃの動作は、ステップＳ４６０に移る。
【０１１０】
なお、回線の切り替えに関する設定が予め実行されるとしたが、例えば、決定部１３ｃは、映像の視聴指示を受ける毎に、通信網３０から無線回線７０に切り替えるか否かを、携帯通信端末が含むディスプレイを介して、ユーザに問い合わせてもよい。この場合、無線回線７０の利用が困難な場合では、決定部１３ｃは、ユーザに問い合わせることなく、映像再生装置１０ｃの接続先を通信網３０に維持すると判定してもよい。
【０１１１】
ステップＳ５１０では、計測部１６ａは、図１０で説明したように、切り替えた無線回線７０を介して配信装置２０と通信したときの通信速度を計測する。
【０１１２】
ステップＳ５２０では、決定部１３ｃは、ステップＳ５１０で計測した通信速度と、携帯通信端末が含むディスプレイの映像表示の画素数およびフレームレートとを、視聴対象の映像の仕様として決定する。これにより、ステップＳ１４０ｂの処理は終了する。そして、映像再生装置１０ｃの動作は、図１２（ａ）に示したステップＳ１５０に移る。
【０１１３】
以上、図１０から図１４に示した実施形態では、取得部１１ａは、通信網３０を介して単位期間中に携帯通信端末が通信した通信量を監視装置３５から取得する。また、取得部１１ａは、映像の視聴指示を受けた場合、指示された視聴対象の映像の再生時間を配信装置２０から取得する。計測部１６ａは、通信網３０を介して配信装置２０と通信したときの通信速度を計測する。決定部１３ｃは、視聴指示を受けた日の直前の３０日間等の期間に、通信網３０を介して受信した映像の再生時間を合計した総再生時間を、図３に示した履歴テーブル５０を用いて算出する。そして、決定部１３ｃは、算出した総再生時間、単位期間中の通信量および視聴対象の映像の再生時間から、視聴対象の映像の割当ビットレートを算出する。決定部１３ｃは、算出した割当ビットレート、計測された通信速度および携帯通信端末が含むディスプレイの映像表示のビットレートを比較し、比較した結果と映像テーブル６０とに基づいて視聴対象の映像の仕様を決定する。また、配信装置２０は、受信した映像の仕様に基づいて、送信要求された視聴対象の映像にトランスコード処理を実行し、トランスコード処理を実行した映像のストリームデータを映像再生装置１０ｃに送信する。
【０１１４】
すなわち、映像再生装置１０ｃは、決定した仕様を配信装置２０に送信し、仕様に対応した視聴対象の映像のストリームデータを受信することで、単位期間中の通信量を通信網３０に設定された所定量以下に調整できる。例えば、映像再生装置１０ｃは、単位期間中の通信量が所定量に達するまでの残りの通信量に応じて、配信装置２０から受信する視聴対象の映像の仕様に含まれるビットレートを絞る。あるいは、映像再生装置１０ｃは、単位期間中の通信量が所定量に達するまでの残りの通信量に応じて、配信装置２０から受信する視聴対象の映像の仕様に含まれる１フレームの画素数およびフレームレートのいずれかを絞る。このように、映像再生装置１０ｃは、単位期間中の通信量を所定量以下となるように、視聴対象の映像の仕様を調整することにより、通信網３０における通信速度の制限を回避できる。また、映像再生装置１０ｃは、単位期間中の通信量を所定量以下となるように、視聴対象の映像の仕様を調整することにより、通信網３０に設定された通信の所定量を増加させる追加料金の発生を抑止することができる。
【０１１５】
また、決定部１３ｃは、算出した割当ビットレートと、計測された通信速度と、携帯通信端末のディスプレイの映像表示の処理能力とを比較し、通信網３０に設定された所定量の範囲内で最適な映像の仕様を決定することで、従来と比べて快適に映像を再生できる。
【０１１６】
また、決定部１３ｃは、無線回線７０が利用可能な場合に通信網３０から無線回線７０に切り替えることで、通信網３０の通信速度の制限を回避することができる。
【０１１７】
なお、決定部１３ｃは、ステップＳ４００において、図３に示した履歴テーブル５０を用いて、視聴指示を受けた日の直前の３０日間等の期間に、通信網３０を介して受信した映像の再生時間を合計した総再生時間を算出したが、これに限定されない。例えば、決定部１３ｃは、ステップＳ１７０で履歴テーブル５０に再生された映像に関する情報が新たに格納され、同日に同一または別の映像の視聴指示を受けた場合、ステップＳ４００で算出した総再生時間に新たに格納された映像の再生時間を加算してもよい。また、計測部１６は、ステップＳ１７０で新たに履歴テーブル５０に格納された映像の通信量を計測し、決定部１３ｃは、計測された通信量をステップＳ１１０で取得された単位期間中の通信量に加算してもよい。
【０１１８】
なお、決定部１３ｃは、図１３に示したステップＳ４５０の処理の後に、通信網３０から無線回線７０に切り替えるか否かを判定するステップＳ５００の処理を実行したが、これに限定されない。例えば、決定部１３ｃは、図１３に示したステップＳ４２０の処理の直前、あるいはステップＳ４２０で肯定する判定をした後に、ステップＳ５００の処理を実行してもよい。
【０１１９】
図１５は、図２、図６および図１０に示した映像再生装置１０ａ、１０ｂ、１０ｃのハードウェアの一例を示す。図２から図１４で説明した要素と同一または同様な要素については、同一または同様の符号を付し、これ等については、詳細な説明を省略する。
【０１２０】
携帯通信端末２００は、プロセッサ２１０、メモリ２２０、入力装置２３０、出力装置２４０、送信部２５０および受信部２６０を有する。図１５に示したプロセッサ２１０、メモリ２２０、入力装置２３０、出力装置２４０、送信部２５０および受信部２６０は、バスを介して互いに接続される。
【０１２１】
携帯通信端末２００は、送信部２５０および受信部２６０を介して、無線で通信網３０に接続される。通信網３０は、ネットワーク４０と接続される。これにより、携帯通信端末２００は、通信網３０およびネットワーク４０を介して、配信装置２０が有する映像のストリームデータを受信する。
【０１２２】
メモリ２２０は、図３に示した履歴テーブル５０および図４に示した映像テーブル６０を格納する。また、メモリ２２０は、携帯通信端末２００のオペレーティングシステムとともに、プロセッサ２１０が映像再生処理を実行するためのアプリケーションプログラムを格納する。さらに、メモリ２２０は、配信装置２０から受信する映像のストリームデータを一時的に格納する。
【０１２３】
なお、映像再生処理を実行するためのアプリケーションプログラムは、例えば、ＣＤ（Compact Disc）あるいはＤＶＤ（Digital Versatile Disc）等の光ディスクに記録して頒布することができる。また、携帯通信端末２００は、受信部２６０を介して、通信網３０あるいはネットワーク４０を通じて映像再生処理を実行するためのアプリケーションプログラムをダウンロードし、メモリ２２０に格納してもよい。
【０１２４】
プロセッサ２１０は、メモリ２２０に格納された映像再生処理のアプリケーションプログラムを実行することで、図２に示した取得部１１ａ、決定部１３ａおよび出力部１５ａとして機能する。また、プロセッサ２１０は、メモリ２２０に格納された映像再生処理のアプリケーションプログラムを実行することで、図６に示した取得部１１ａ、決定部１３ｂ、出力部１５ａおよび計測部１６として機能する。また、プロセッサ２１０は、メモリ２２０に格納された映像再生処理のアプリケーションプログラムを実行することで、図１０に示した取得部１１ａ、決定部１３ｃ、出力部１５ａおよび計測部１６ａとして機能する。
【０１２５】
入力装置２３０は、例えば、タッチパネル等である。携帯通信端末２００を使用するユーザは、入力装置２３０を操作し、例えば、映像再生処理の実行や終了の指示、あるいは割当ビットレートの使用についての設定や通信網３０における所定量の増加に関する設定等を行う。
【０１２６】
出力装置２４０は、有機ＥＬパネルや液晶パネル等のディスプレイである。出力装置２４０は、プロセッサ２１０の制御により配信装置２０から受信した映像のストリームデータ、あるいは携帯通信端末２００の動作を設定する設定画面等の画像を表示する。
【０１２７】
送信部２５０は、プロセッサ２１０からの制御指示、あるいは入力装置２３０が受けた映像の視聴指示等を、通信網３０を介して、監視装置３５あるいは配信装置２０に無線で送信する。
【０１２８】
受信部２６０は、監視装置３５から単位期間中の通信量を示す情報を、配信装置２０から映像のストリームデータを、通信網３０を介してそれぞれ受信する。受信部２６０は、受信した監視装置３５からの情報、あるいは配信装置２０からの映像のストリームデータを、プロセッサ２１０、メモリ２２０あるいは出力装置２４０に出力する。すなわち、送信部２５０および受信部２６０は、図２、図６および図１０に示した通信部１４ａ、１４ｂとして動作する。
【０１２９】
つまり、映像再生装置１０ａ、１０ｂ、１０ｃは、プロセッサ２１０、メモリ２２０、送信部２５０および受信部２６０の協働によって実現する。
【０１３０】
映像再生処理のアプリケーションプログラムは、通信網３０を介して、単位期間中に携帯通信端末２００が通信した通信量を、監視装置３５から取得する処理をプロセッサ２１０に実行させるプログラムを有する。また、映像再生処理のアプリケーションプログラムは、映像の視聴指示を受けた視聴対象の映像の再生時間を、配信装置２０から取得する処理をプロセッサ２１０に実行させるプログラムを有する。また、映像再生処理のアプリケーションプログラムは、履歴テーブル５０、取得した単位期間中の通信量および視聴対象の映像の再生時間に基づいて、視聴対象の映像の仕様を決定する処理をプロセッサ２１０に実行させるプログラムを有する。また、映像再生処理のアプリケーションプログラムは、決定した仕様を配信装置２０に送信し、仕様に対応した視聴対象の映像を配信装置２０から受信する処理をプロセッサ２１０に実行させるプログラムを有する。また、映像再生処理のアプリケーションプログラムは、配信装置２０から受信した映像のストリームデータを出力装置２４０に出力する処理をプロセッサ２１０に実行させるプログラムを有する。
【０１３１】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【０１３２】
以上の実施形態に関し、さらに以下の付記を開示する。
（付記１）
単位期間中の通信量が所定量を超えた場合に通信速度が制限される通信網を介して映像を受信する映像再生装置において、
前記通信網を監視する監視装置から前記単位期間中に前記映像再生装置が通信した通信量を取得し、映像を配信する配信装置から視聴対象の映像の再生時間を取得する取得部と、
前記通信網を介して受信した映像を再生した再生履歴を示す履歴情報を格納する記憶部と、
前記履歴情報、前記単位期間中の通信量および前記視聴対象の映像の再生時間に基づいて、前記視聴対象の映像の仕様を決定する決定部と、
前記仕様を示す情報を前記配信装置に送信し、前記仕様に対応した前記視聴対象の映像を前記配信装置から受信する通信部と、
前記配信装置から受信した映像を出力する出力部と、
を備えることを特徴とする映像再生装置。
（付記２）
付記１に記載の映像再生装置において、
前記通信網を介して前記配信装置と通信したときの通信速度を計測する計測部を備え、
前記仕様は、映像のビットレートを含み、
前記決定部は、前記履歴情報、前記単位期間中の通信量および前記視聴対象の映像の再生時間に基づいて前記ビットレートを算出し、算出した前記ビットレートが前記計測部で計測された前記通信速度以上の場合、前記仕様に含まれる前記ビットレートを、計測された前記通信速度以下に決定する
ことを特徴とする映像再生装置。
（付記３）
付記１に記載の映像再生装置において、
前記仕様は、映像の１フレームの画素数、フレームレートおよびビットレートを含み、
前記決定部は、前記履歴情報、前記単位期間中の通信量および前記視聴対象の映像の再生時間に基づいて前記ビットレートを算出し、算出した前記ビットレートが外部装置の映像表示の処理能力を示すビットレートより小さい場合、前記仕様に含まれる前記ビットレートを、算出した前記ビットレート以下に決定し、前記仕様に含まれる前記画素数および前記フレームレートを、算出した前記ビットレートに基づいて決定する
ことを特徴とする映像再生装置。
（付記４）
単位期間中の通信量が所定量を超えた場合に通信速度が制限される通信網を介して映像を受信する映像再生装置の制御方法において、
前記映像再生装置が有する取得部が、前記通信網を監視する監視装置から前記単位期間中に前記映像再生装置が通信した通信量を取得し、映像を配信する配信装置から視聴対象の映像の再生時間を取得し、
前記映像再生装置が有する決定部が、前記通信網を介して受信した映像を再生した再生履歴を示す履歴情報、前記単位期間中の通信量および前記視聴対象の映像の再生時間に基づいて、前記視聴対象の映像の仕様を決定し、
前記映像再生装置が有する通信部が、前記仕様を示す情報を前記配信装置に送信し、前記仕様に対応した前記視聴対象の映像を前記配信装置から受信し、
前記映像再生装置が有する出力部が、前記配信装置から受信した映像を出力する
ことを特徴とする映像再生装置の制御方法。
（付記５）
付記４に記載の映像再生装置の制御方法において、
する計測部を備え、
前記仕様は、映像のビットレートを含み、
前記映像再生装置が有する計測部が、前記通信網を介して前記配信装置と通信したときの通信速度を計測し、
前記決定部が、前記履歴情報、前記単位期間中の通信量および前記視聴対象の映像の再生時間に基づいて前記ビットレートを算出し、算出した前記ビットレートが前記計測部で計測された前記通信速度以上の場合、前記仕様に含まれる前記ビットレートを、計測された前記通信速度以下に決定する
ことを特徴とする映像再生装置の制御方法。
（付記６）
付記４に記載の映像再生装置の制御方法において、
前記仕様は、映像の１フレームの画素数、フレームレートおよびビットレートを含み、
前記決定部が、前記履歴情報、前記単位期間中の通信量および前記視聴対象の映像の再生時間に基づいて前記ビットレートを算出し、算出した前記ビットレートが外部装置の映像表示の処理能力を示すビットレートより小さい場合、前記仕様に含まれる前記ビットレートを、算出した前記ビットレート以下に決定し、前記仕様に含まれる前記画素数および前記フレームレートを、算出した前記ビットレートに基づいて決定する
ことを特徴とする映像再生装置の制御方法。
（付記７）
映像を配信する配信装置と、単位期間中の通信量が所定量を超えた場合に通信速度が制限される通信網を介して前記配信装置から映像を受信する映像再生装置とを備え、
前記映像再生装置は、
前記通信網を監視する監視装置から前記単位期間中に前記映像再生装置が通信した通信量を取得し、前記配信装置から視聴対象の映像の再生時間を取得する取得部と、
前記通信網を介して受信した映像を再生した再生履歴を示す履歴情報を格納する記憶部と、
前記履歴情報、前記単位期間中の通信量および前記視聴対象の映像の再生時間に基づいて、前記視聴対象の映像の仕様を決定する決定部と、
前記仕様を示す情報を前記配信装置に送信し、前記仕様に対応した前記視聴対象の映像を前記配信装置から受信する通信部と、
前記配信装置から受信した映像を出力する出力部とを備え、
前記配信装置は、前記映像再生装置から受けた前記仕様に基づいて、前記視聴対象の映像に対してトランスコード処理を実行し、前記仕様に対応した前記視聴対象の映像を前記映像再生装置に配信する
ことを特徴とする映像再生システム。
【符号の説明】
【０１３３】
１０，１０ａ，１０ｂ，１０ｃ…映像再生装置；１１，１１ａ…取得部；１２，１２ａ…記憶部；１３，１３ａ，１３ｂ，１３ｃ…決定部；１４，１４ａ，１４ｂ…通信部；１５，１５ａ…出力部；１６，１６ａ…計測部；２０…配信装置；３０…通信網；３５…監視装置；４０…ネットワーク；５０…履歴テーブル；６０…映像テーブル；７０…無線回線；１００，１００ａ…映像再生システム；２００…携帯通信端末；２１０…プロセッサ；２２０…メモリ；２３０…入力装置；２４０…出力装置；２５０…送信部；２６０…受信部
【図１】
2016046584.tif 000005
【図２】
2016046584.tif 000006
【図３】
2016046584.tif 000007
【図４】
2016046584.tif 000008
【図５】
2016046584.tif 000009
【図６】
2016046584.tif 000010
【図７】
2016046584.tif 000011
【図８】
2016046584.tif 000012
【図９】
2016046584.tif 000013
【図１０】
2016046584.tif 000014
【図１１】
2016046584.tif 000015
【図１２】
2016046584.tif 000016
【図１３】
2016046584.tif 000017
【図１４】
2016046584.tif 000018
【図１５】
2016046584.tif 000019